(57)【要約】      （修正有）【課題】生産性が高く、防水性について経年劣化のおそれのない押しボタンスイッチを提供する。【解決手段】ベース１０とカバー１００とからなるハウジングと、前記ハウジングを仕切り壁１１，１２で仕切って形成した３つの第１，第２，第３凹所１３，１４，１５と、前記第１凹所１３内に収納され、かつ、前記カバー１００に設けた操作孔１０４を介して摺動する第１プランジャ８０と、前記第１プランジャ８０が位置する第１凹所１３内に配置され、前記第１プランジャ８０を復帰方向に付勢する復帰バネ７０と、前記第３凹所１５内に配置され、可動接点４２ａを備えた可動接触片４１と、前記可動接触片４１が位置する前記第３凹所１５内に配置され、固定接点を備えた固定接点片３１と、からなる押しボタンスイッチである。特に、前記第１プランジャ８０の操作によって前記可動接触片４１を駆動することにより、前記可動接点４２ａが前記固定接点に接離される。【選択図】図２
2016115551.tif 000002
【特許請求の範囲】
【請求項１】
ベースとカバーとからなるハウジングと、
前記ハウジングを少なくとも１つの仕切り壁で仕切って形成した少なくとも２つの内部空間と、
前記内部空間のうち、一方の内部空間である操作領域内に収納され、かつ、前記カバーに設けた操作孔を介して摺動するプランジャと、
前記プランジャが位置する操作領域内に配置され、かつ、前記プランジャを復帰方向に付勢する復帰バネと、
前記内部空間のうち、残る他方の内部空間である接点機構領域内に配置され、かつ、可動接点を備えた可動接触片と、
前記可動接触片が位置する前記接点機構領域内に配置され、かつ、固定接点を備えた固定接点片と、
からなる押しボタンスイッチであって、
前記プランジャの操作によって前記可動接触片を駆動することにより、前記可動接点が前記固定接点に接離されることを特徴とする押しボタンスイッチ。
【請求項２】
前記プランジャの外周縁部が、前記カバーに設けた操作孔の内周面に線接触することを特徴とする請求項１に記載の押しボタンスイッチ。
【請求項３】
前記カバーの側壁に、前記操作孔に連通する水抜き孔を設けたことを特徴とする請求項１または２に記載の押しボタンスイッチ。
【請求項４】
前記プランジャの内向面から内方に延在し、かつ、前記仕切り壁に設けたガイド溝に沿ってスライド移動する操作腕部で前記可動接触片を操作し、前記可動接触片に設けた前記可動接点が前記固定接点に接離されることを特徴とする請求項１ないし３のいずれか１項に記載の押しボタンスイッチ。
【請求項５】
前記操作腕部が、略Ｌ字状に屈曲していることを特徴とする請求項４に記載の押しボタンスイッチ。
【請求項６】
前記プランジャの復帰時に、前記カバーの天井面に突設した前記仕切り壁の下端部が、前記操作腕部の基部に当接することを特徴とする請求項４または５に記載の押しボタンスイッチ。
【請求項７】
前記プランジャの復帰時に、前記カバーの天井面に突設した前記仕切り壁の内向面縁部に設けたガイド溝に、前記操作腕部の角部を嵌合したことを特徴とする請求項４ないし６のいずれか１項に記載の押しボタンスイッチ。
【請求項８】
前記可動接点および前記固定接点を、前記接点機構領域の底面よりも高い位置に配置したことを特徴とする請求項１ないし７のいずれか１項に記載の押しボタンスイッチ。
【発明の詳細な説明】
【技術分野】
【０００１】
本発明は押しボタンスイッチ、特に、防水性に優れた押しボタンスイッチに関する。
【背景技術】
【０００２】
従来、押しボタンスイッチとしては、例えば、庫内を断熱仕切壁により上下２室に区画し前記仕切壁の内部全面に収納したドアスイッチにおいて、前記ドアスイッチの操作杆の中央部を先端部及び根本部より細くし、前記ドアスイッチの前面板の貫通穴内面に凹状の溝部を形成し、前記溝部に弾性材料からなり、内側にヒレを有するシールカバーを装着して前記操作杆と前記シールカバーのヒレとが接触してなる冷蔵庫のドアスイッチ装置が開示されている（特許文献１参照）。
【先行技術文献】
【特許文献】
【０００３】
【特許文献１】実開平１−７５７９４号公報
【発明の概要】
【発明が解決しようとする課題】
【０００４】
しかしながら、前記ドアスイッチ装置では、その第１図および第２図に示すように、接点機構領域内に外部から水が侵入するのを防止し、防水性を確保するため、ヒレ２６を有するシールカバー２５を使用している。このため、部品点数，組立工数が多く、生産性が低い。また、前記シールカバーは、経年劣化で防水性が低下しやすいという問題点がある。
本発明に係る押しボタンスイッチは、前記問題点に鑑み、生産性が高く、防水性について経年劣化のおそれがない押しボタンスイッチを提供することにある。
【課題を解決するための手段】
【０００５】
本発明に係る押しボタンスイッチは、前記課題を解決すべく、ベースとカバーとからなるハウジングと、前記ハウジングを少なくとも１つの仕切り壁で仕切って形成した少なくとも２つの内部空間と、前記内部空間のうち、一方の内部空間である操作領域内に収納され、かつ、前記カバーに設けた操作孔を介して摺動するプランジャと、前記プランジャが位置する操作領域内に配置され、かつ、前記プランジャを復帰方向に付勢する復帰バネと、前記内部空間のうち、残る他方の内部空間である接点機構領域内に配置され、かつ、可動接点を備えた可動接触片と、前記可動接触片が位置する前記接点機構領域内に配置され、かつ、固定接点を備えた固定接点片と、からなる押しボタンスイッチであって、前記プランジャの操作によって前記可動接触片を駆動することにより、前記可動接点が前記固定接点に接離される構成としてある。
【発明の効果】
【０００６】
本発明によれば、摺動するプランジャと可動接触片とが仕切り壁で仕切られた内部空間にそれぞれ収納されるので、プランジャの周囲から侵入した水滴等が可動接触片に付着しにくく、故障を未然に防止できる。
また、従来例のようなシールカバーを使用しないので、部品点数，組立工数が少なく、生産性の高い押しボタンスイッチが得られる。
【０００７】
本発明の実施形態としては、前記プランジャの外周縁部を、前記カバーに設けた操作孔の内周面に線接触させてもよい。
本実施形態によれば、前記プランジャの外周縁部が前記カバーの操作孔の内周面に線接触しているので、水滴等が浸入しにくくなる。
特に、前記プランジャの外周縁部と前記操作孔の内周面との隙間に食品汁等が凝固しても、前記プランジャを操作するための外力、および／または、前記プランジャを復帰させる復帰バネのバネ力で前記凝固状態が破壊され、正常に動作するという利点がある。
【０００８】
本発明の他の実施形態としては、前記カバーの側壁に、前記操作孔に連通する水抜き孔を設けておいてもよい。
本実施形態によれば、操作孔に水等が浸入しても、前記水抜き孔から外部に排出でき、防水性が優れた押しボタンスイッチが得られる。
【０００９】
本発明の別の実施形態としては、前記プランジャの内向面から内方に延在し、かつ、前記仕切り壁に設けたガイド溝に沿ってスライド移動する操作腕部で前記可動接触片を操作し、前記可動接触片に設けた前記可動接点を前記固定接点に接離させてもよい。
本実施形態によれば、ガイド溝をスライド移動する操作腕部で可動接触片を操作するので、プランジャ側から水滴等が通過しにくく、防水性の高い押しボタンスイッチが得られる。
【００１０】
本発明の実施形態としては、前記操作腕部が、略Ｌ字状に屈曲してもよい。
本実施形態によれば、プランジャ側から侵入した水滴等が前記操作腕部を伝って可動接触片側に流れにくくなり、水滴等の侵入をより効果的に防止できる押しボタンスイッチが得られる。
【００１１】
本発明の他の実施形態としては、前記プランジャの復帰時に、前記カバーの天井面に突設した前記仕切り壁の下端部が、前記操作腕部の基部に当接してもよい。
本実施形態によれば、本実施形態によれば、復帰時に仕切り壁の下端部で水滴等の侵入経路が遮断されるので、防水性の高い押しボタンスイッチが得られる。
【００１２】
本発明の別の実施形態としては、前記プランジャの復帰時に、前記カバーの天井面に突設した前記仕切り壁の内向面縁部に設けたガイド溝に、屈曲した前記操作腕部の角部を嵌合してもよい。
【００１３】
本実施形態によれば、カバーの仕切り壁に設けたガイド溝に、屈曲した操作腕部の角部が嵌合するので、沿面距離が長くなり、水滴等の侵入を効果的に防止できる。
【００１４】
本発明の異なる実施形態としては、前記可動接点および前記固定接点を、前記接点機構領域の底面よりも高い位置に配置してもよい。
【００１５】
本実施形態によれば、水滴等が可動接点等を配置した内部空間に侵入しても、前記接点機構領域の底面に溜まり、前記可動接点等に付着しにくいので、防水性の高い押しボタンスイッチが得られるという効果がある。
【図面の簡単な説明】
【００１６】
【図１】本発明に係る押しボタンスイッチの第１実施形態を示す全体斜視図である。
【図２】図１で示した押しボタンスイッチの分解斜視図である。
【図３】図１で示した押しボタンスイッチを異なる角度から視た分解斜視図である。
【図４】図１で示した押しボタンスイッチの側面断面図である。
【図５】図４から第１，第２プランジャを消去した側面断面図である。
【図６】図５から共通固定接点端子を消去した側面断面図である。
【図７】図１で示した押しボタンスイッチの水平断面図である。
【図８】図７と異なる位置で切断した押しボタンスイッチの水平断面図である。
【図９】図１で示した押しボタンスイッチからカバーを消去した平面図である。
【図１０】図９の部分拡大図である。
【図１１】図１で示した押しボタンスイッチの正面断面図である。
【図１２】図１１の部分拡大図である。
【図１３】図１で示した押しボタンスイッチの動作途中を示す全体斜視図である。
【図１４】図１３の正面断面図である。
【図１５】図１で示した押しボタンスイッチの動作後を示す全体斜視図である。
【図１６】図１５の正面断面図である。
【図１７】図１で示した押しボタンスイッチの異なる動作後を示す全体斜視図である。
【図１８】図１７からカバーを消去した部分拡大斜視図である。
【図１９】図１で示した押しボタンスイッチの別の動作後を示す全体斜視図である。
【図２０】図１９の側面断面図である。
【図２１】図１９からカバーを消去した斜視図である。
【図２２】図２１の部分拡大斜視図である。
【図２３】図１で示した押しボタンスイッチの取付状態を示す斜視図である。
【図２４】図２３の側面断面図である。
【図２５】図２３の正面断面図である。
【図２６】本発明に係る押しボタンスイッチの第２実施形態を示す全体斜視図である。
【図２７】図２６で示した押しボタンスイッチの分解斜視図である。
【図２８】図２６で示した押しボタンスイッチを異なる角度から視た分解斜視図である。
【図２９】図２６で示した押しボタンスイッチからカバーを消去した平面図である。
【図３０】図２６の部分拡大図である。
【図３１】本発明に係る押しボタンスイッチの第３実施形態を示す全体斜視図である。
【図３２】図３１で示した押しボタンスイッチの分解斜視図である。
【図３３】図３１で示した押しボタンスイッチを異なる角度から視た分解斜視図である
【図３４】図３１で示した押しボタンスイッチからカバーを消去した平面図である。
【図３５】図３４の部分拡大図である。
【図３６】前記第１，第２，第３実施形態に係る電磁継電器の開閉動作を示すタイムチャートである。
【図３７】発明に係る押しボタンスイッチの第４実施形態を示す全体斜視図である
【図３８】図３７の正面断面図である。
【図３９】図３７で示した押しボタンスイッチの動作途中を示す全体斜視図である。
【図４０】図３７の正面断面図である。
【図４１】図３７で示した押しボタンスイッチの動作後を示す全体斜視図である。
【図４２】図４１の正面断面図である。
【図４３】図３７で示した押しボタンスイッチの分解斜視図である。
【図４４】図３７で示した押しボタンスイッチを異なる角度から視た分解斜視図である。
【図４５】図３７で示した押しボタンスイッチからカバーを消去した平面図である。
【図４６】図４５の部分拡大図である。
【発明を実施するための形態】
【００１７】
本発明に係る押しボタンスイッチの実施形態を図１ないし図４６に基づいて説明する。
第１実施形態は、図１ないし図２５に示すように、例えば、観音開きのドアを有する冷凍冷蔵庫に取り付けられる押しボタンスイッチである。前記押しボタンスイッチは、左ドアだけを閉じた状態、右ドアだけを閉じた状態、左右のドアを同時に閉じた状態、および、左右のドアを同時に開いた状態という４種類の開閉状態を検出できる。
【００１８】
前記押しボタンスイッチは、図２および図３に示すように、大略、ベース１０と、共通固定接点端子３０と、第１，第２可動接点端子４０，５０と、第３可動接点端子６０と、第１，第２復帰バネ７０，７１と、第１，第２プランジャ８０，９０と、カバー１００と、で構成されている。
【００１９】
ベース１０は、平面長方形の箱形状であり、その底面に突設した２つの仕切り壁１１，１２で３つの第１，第２，第３凹所１３，１４，１５（図４）に仕切ってある。そして、前記仕切り壁１１，１２には、隣り合う前記第１，第２，第３凹所１３，１４，１５を連通させるガイド溝１１ａ，１２ａ（図２）がそれぞれ設けられている。
【００２０】
前記第１凹所１３には、その底面中央に後述する第１復帰バネ７０を支持するための支持突部１６を向けて突設してある。また、前記第１凹所１３は、その内周面に位置決めリブ１７を設けてある。前記位置決めリブ１７は、後述する第１プランジャ８０が摺動した際の摩擦抵抗を小さくするとともに、ガタツキの発生を防止するために設けられている。
前記第２凹所１４にも、前記第１凹所１３と同様、支持突部１８および位置決めリブ１７を設けてある。
【００２１】
前記第３凹所１５は、その底面の対向する隅部のうち、奥側の隅部に設けた一段高い段部２０（図１１）に４つの端子孔２１ａ，２１ｂ，２１ｃ，２１ｄ（図１０）を並設し、コネクタ部２２を形成してある。また、前記第３凹所１５は、前記段部２０に対向する内周面に沿って迫り出し部２３を形成するとともに、位置決めリブ２３ａを上下方向に沿うように設けてある。
【００２２】
また、前記ベース１０は、その開口部の外周縁部に沿って嵌合用段部２４を設けてあるとともに、前記嵌合用段部２４に係合爪部２５を設けてある。また、前記ベース１０は、短辺側の外側面に弾性爪部２６，２６をそれぞれ設けてある。
【００２３】
共通固定接点端子３０は、その上辺縁部に沿って固定接点片３１，３２，３３を所定のピッチで並設し、前記固定接点片３１，３２，３３の内向面に固定接点３１ａ，３２ａ，３３ａ（図１０）をそれぞれ設けてある。そして、前記共通固定接点端子３０の端子部３４を、前記ベース１０の端子孔２１ｃに圧入して固定される。
【００２４】
第１可動接点端子４０は、略Ｕ字形状に屈曲した可動接触片４１を有し、その自由端部に可動接点片４２および操作舌片４３を並設し、かつ、一体に回動するように連結してある。また、前記可動接点片４２には可動接点４２ａが設けられている。そして、第１可動接点端子４０は、その端子部４４を前記ベース１０に設けた端子孔２１ａに圧入して固定される。
【００２５】
第２可動接点端子５０は、前記可動接点端子４０との間を仕切る仮想面を中心として鏡像の関係となるように形成されている。すなわち、両者は右手と左手のように互いに重ね合わすことができない立体形状を有している。このため、第２可動接点端子５０は、前記可動接点端子４０と同様に、略Ｕ字形状に屈曲した可動接触片５１を有し、その自由端部に可動接点片５２および操作舌片５３を並設し、かつ、一体に回動するように連結してある。そして、前記可動接点片５２には可動接点５２ａが設けられている。ついで、第２可動接点端子５０は、その端子部５４を前記ベース１０に設けた端子孔２１ｄに圧入して固定される。
【００２６】
第３可動接点端子６０は、その上辺縁部から略Ｕ字形状に屈曲した可動接触片６１を延在してある。そして、前記可動接触片６１は、その自由端部から延在した可動接点片６２の両側に、操作舌片６３，６４をそれぞれ配置し、かつ、一体に回動するように連結されている。ついで、前記第３可動接点端子６０は、その端子部６５を前記ベース１０に設けた端子孔２１ｂに圧入して固定される。
【００２７】
第１，第２復帰バネ７０，７１は、後述する第１，第２プランジャ８０，９０を元の位置に復帰させるバネ力を付与するために設けられたものである。そして、前記第１，第２復帰バネ７０，７１は、前記ベース１０の支持突部１６，１８にそれぞれ挿通して位置決めされる。
【００２８】
第１プランジャ８０は、その下端部に前記ベース１０の第１凹所１３内を摺動できる鍔部８１を設けてあるとともに、その上端部に押圧部８２を設けてある。また、前記第１プランジャ８０は、前記鍔部８１の内向面から略直角に屈曲した操作腕部８３を延在してある。そして、前記操作腕部８３は、その自由端部に操作体８４を一体成形してあるとともに、その基部にガイド溝８５を設けてある。前記操作体８４は、図２に示すように、正面略台形を有し、その片側側面に操作面８４ａを有している。前記操作面８４ａは、前記操作舌片４３，６３を円滑に操作するためにテーパ面となっている。なお、前記操作面８４ａは、必ずしもこの形状に限らず、円弧面、例えば、放物線形状であってもよく、必要に応じて各種の形状から選択できることは勿論である。さらに、前記第１プランジャ８０は、その底面に収納孔８６を設けてある（図３）。
そして、第１プランジャ８０の収納孔８６に第１復帰バネ７０を収納することにより、前記第１プランジャ８０は前記第１復帰バネ７０のバネ力で上方に付勢される。
【００２９】
第２プランジャ９０は、前記第１プランジャ８０との間を仕切る仮想面を中心として鏡像の関係となるように形成されている。すなわち、両者は右手と左手のように互いに重ね合わすことができない立体形状を有している。このため、第２プランジャ９０は、前記第１プランジャ８０と同様に、その下端部に前記ベース１０の第２凹所１４内を摺動可能な鍔部９１を設けてあるとともに、その上端部に押圧部９２を設けてある。また、前記第２プランジャ９０は、前記鍔部９１の内向面から略直角に屈曲した操作腕部９３を延在してある。そして、前記操作腕部９３は、その自由端部に操作体９４を一体成形してあるとともに、その基部にガイド溝９５を設けてある。前記操作体９４は、図３に示すように、正面略台形を有し、その片側側面に操作面９４ａを有している。前記操作面９４ａは、前記操作舌片６４，５３を円滑に操作するためにテーパ面となっている。なお、前記操作面９４ａは、必ずしもこの形状に限らず、円弧面、例えば、放物線形状であってもよく、必要に応じて各種の形状から選択できることは勿論である。さらに、前記第２プランジャ９０は、その底面に収納孔９６を設けてある。
そして、第２プランジャ９０の収納孔９６に第２復帰バネ７１を収納することにより、前記第２プランジャ９０は前記第２復帰バネ７１のバネ力で上方に付勢される。
【００３０】
カバー１００は、前記ベース１０に嵌合可能な平面形状を有する箱形状であり、その上面に面板１０１を一体成形してあるとともに、一対の環状仕切り壁１０２，１０３で一対の操作孔１０４，１０５を形成してある。このため、前記カバー１００は、前記環状仕切り壁１０２，１０３で３つの空間、すなわち、操作孔１０４，１０５および中央凹所１０６（図３）に仕切られている。
また、前記カバー１００は、前記環状仕切り壁１０２，１０３の対向する内向面にガイド溝１０２ａ，１０３ａを設けてある。前記ガイド溝１０２ａ，１０３ａは、前記ベース１０のガイド溝１１ａ，１２ａにそれぞれ連続するものである。そして、前記中央凹所１０６の隅部に抜け止めリブ１０７，１０７を設けてある。さらに、前記カバー１００は、長辺側の一方の側面に前記操作孔１０４，１０５に連通する水抜き孔１０８ａ，１０８ｂを設けてある。ついで、前記カバー１００は、その下方開口縁部に沿って、前記ベース１０の係合爪部２５に係合する係合孔１０９を設けてある。
【００３１】
次に、組立手順について説明する。
前記ベース１０の端子孔２１ａ，２１ｂ，２１ｃ，２１ｄに、第１可動接点端子４０の端子部４４，第３可動接点端子６０の端子部６５，共通固定接点端子３０の端子部３４，第２可動接点端子５０の端子部５４をそれぞれ圧入する。このとき、共通固定接点端子３０、および、第１，第２，第３可動接点端子４０，５０，６０を前記ベースに１０に組み付けると、前記可動接触片４１，５１，６１自身のバネ力で、前記可動接点４２ａ，５２ａ，６２ａが固定接点３１ａ，３２ａ，３３ａにそれぞれ所定の圧力で接触する。
そして、前記ベース１０の支持突部１６，１８に第１，第２復帰バネ７０，７１を挿通する。
一方、前記カバー１００の操作孔１０４，１０５に第１，第２プランジャ８０，９０を下方側から組み付ける。そして、前記第１，第２プランジャ８０，９０の収納孔８６，９６内に前記第１，第２復帰バネ７０，７１を収納するように組み付け、前記ベース１０の係合爪部２５に前記カバー１００の係合孔１０９を係合することにより、組立作業が完了する。
このとき、第１プランジャ８０の操作体８４が、第１可動接点端子４０の操作舌片４３および第３可動接点端子６０の操作舌片６３を押圧する。また、第２プランジャ９０の操作体９４が、第２可動接点端子５０の操作舌片５３および第３可動接点端子６０の操作舌片６４を押圧する。このため、可動接点４２ａが固定接点３１ａから開離し、可動接点５２ａが固定接点３２ａから開離するとともに、可動接点６２ａが固定接点３３ａから開離している。
【００３２】
なお、前記押しボタンスイッチは、図２３ないし図２５に示すように取付板１１０の取付孔１１１に、前記ベース１０側から挿入することにより、弾性爪部２６が内側に弾性変形した後、弾性復帰する。そして、前記弾性爪部２６と前記カバー１００の面板１０１とで、前記取付板１１０の取付孔１１１の開口縁部を挟持することにより、押しボタンスイッチが抜け止めされる。
特に、本実施形態では、前記取付孔１１１の開口縁部が１段低くなっている。このため、前記押しボタンスイッチを取り付けても、前記面板１０１と取付板１１０とが面一になる。この結果、外部からの衝撃力が前記押しボタンスイッチに作用する可能性が低くなり、故障しにくいだけでなく、デザインとして美麗になるという利点がある。
【００３３】
また、前記押しボタンスイッチは、冷蔵庫等に使用された場合であっても、防滴・防食品汁による短絡および復帰不良を防止するための下記のような防水構造を有している。
すなわち、第１，第２プランジャ８０，９０を収納した空間と、共通固定接点端子３０等を収納した空間とは、前記ベース１０の仕切り壁１１，１２と、前記カバー１００の環状仕切り壁１０２，１０３とで仕切られている。このため、共通固定接点端子３０等を配置した空間内に外部からの水滴，食品汁等が侵入，付着することを防止できる。
また、前記共通固定接点端子３０等は、前記ベース１０の底面から一段高い段部２０に組み付けられている。このため、万一、前記ベース１０の第３凹所１５内に食品汁が浸入しても、固定接点３１ａ，３２ａ，３３ａに付着しにくい。
そして、第１，第２プランジャ８０，９０か復帰位置に復帰している場合には、第１，第２復帰バネのバネ力により、前記操作腕部８３，９３の基部が、前記カバー１００の環状仕切り壁１０２，１０３の下端部に圧接している。このため、水等の侵入を効果的に防止できる。
さらに、前記第１，第２プランジャ８０，９０の押圧部８２，９２の外周縁部が円弧面であり、前記カバー１００の操作孔１０４，１０５の内周面に線接触している。このため、水滴，食品汁の侵入を防止できる。特に、前記食品汁が前記押圧部８２，９２と前記操作孔１０４，１０５との隙間に溜まり、凝固しても、スイッチの開閉操作に伴って前記凝固状態が破壊され、正常動作するという利点がある。
ついで、前記カバー１００には操作孔１０４，１０５に連通する水抜き孔１０８ａ，１０８ｂを設けてある。このため、前記操作孔１０４，１０５に水等が浸入しても、前記水抜き孔１０８ａ，１０８ｂを介して外部に流出させることができ、水等が内部深くに侵入することを防止できる。
また、前記第１，第２プランジャ８０，９０の操作腕部８３，９３は、略Ｌ字形状に屈曲している。このため、操作孔１０４，１０５内に進入した水は前記操作腕部８３，９３を伝って内部に侵入することがない。特に、図４および図５に示すように、前記操作腕部８３，９３の角部８３ａ，９３ａが前記カバー１００のガイド溝１０２ａ，１０３ａにそれぞれ嵌合しているので、沿面距離が長くなり、水等がより一層浸入しにくくなるという利点がある。
【００３４】
次に、前記押しボタンスイッチの操作方法について説明する。
まず、操作前の復帰位置に第１，第２プランジャ８０，９０がある場合、図９および図１０に示すように、第１プランジャ８０の操作体８４の操作面８４ａが、可動接触片４１の操作舌片４３と、可動接触片６１の操作舌片６３とを押圧している。また、第２プランジャ９０の操作体９４の操作面９４ａが、第２可動接点端子５０の操作舌片５３と、第３可動接点端子６０の操作舌片６４を押圧している。このため、可動接点４２ａ，５２ａ，６２ａは、固定接点３１ａ，３２ａ，３３ａからそれぞれ開離している。
【００３５】
そして、図１３および図１４に示すように、第１プランジャ８０だけを押し下げると、操作体８４が下降し、操作面８４ａが操作舌片４３の表面を摺動することにより、前記操作舌片４３に対する負荷が低減する。このため、可動接触片４１が弾性復帰し、可動接点４２ａが固定接点３１ａに接触する。要するに、第１プランジャ８０の押し込み方向に対して垂直方向に可動接触片４１の可動接点４２ａが変位する。
さらに、図１５および図１６に示すように、前記第１プランジャ８０を押し下げると、前記操作体８４の操作面８４ａが操作舌片４３から離れ、操作舌片４３への負荷が全くなくなり、可動接点４２ａが固定接点３１ａに所定の圧力で接触する。
なお、前記第３可動接点端子６０の可動接触片６１は、その操作舌片６４がプランジャ９０の操作体９４に位置規制されているので、可動接点６２ａが固定接点３３ａに接触することはない。
そして。前記第１プランジャ８０に対する押し下げ操作を解除すると、第１復帰バネ７０のバネ力で前記第１プランジャ８０が押し戻され、元に位置に復帰する。このため、前記操作体８４が上昇し、操作面８４ａが操作舌片４３を押し戻し、可動接点４２ａが固定接点３１ａから開離する。
【００３６】
ついで、図１７および図１８に示すように、第２プランジャ９０だけを押し下げると、操作体９４が下降し、操作面９４ａが操作舌片５３の表面を摺動することにより、操作舌片５３に対する負荷が低減する。このため、可動接触片５１が弾性復帰し、可動接点５２ａが固定接点３２ａに接触する。要するに、第２プランジャ９０の押し込み方向に対して垂直方向に可動接触片５１の可動接点５２ａが変位する。
さらに、前記第２プランジャ９０を押し下げると、前記操作体９４の操作面９４ａが操作舌片５３から離れ、図１８に示すように、前記操作体９４から操作舌片５３への負荷が全くなくなり、可動接点５２ａが固定接点３２ａに所定の圧力で接触する。
なお、前記第３可動接点端子６０の可動接触片６１は、その操作舌片６３が第１プランジャ８０の操作体８４に位置規制されているので、可動接点６２ａが固定接点３３ａに接触することはない。
そして、前記第２プランジャ９０に対する押し下げ操作を解除すると、第２復帰バネ７１のバネ力で前記第２プランジャ９０が押し戻され、元に位置に復帰する。このため、前記操作体９４が上昇し、操作面９４ａが操作舌片５３を押し戻し、可動接点５２ａが固定接点３２ａから開離する。
【００３７】
第１，第２プランジャを同時に押し下げると、図１９ないし図２２に示すように、操作体８４，９４が下降し、操作面８４ａが操作舌片４３，６３の表面を摺動するとともに、操作面９４ａが操作舌片６４，５３の表面を摺動し、操作舌片４３，６３，６４，５３に対する負荷が低減する。このため、可動接触片４１，６１，５１が弾性復帰し、可動接点４２ａ，６２ａ，５２ａが固定接点３１ａ，３３ａ，３２ａにそれぞれ接触する。
さらに、前記第１，第２プランジャ８０，９０を更に押し下げると、前記操作体８４，９４の操作面８４ａ，９４ａが操作舌片４３，６３，６４，５３から離れ、操作体８４，９４から可動接触片４１，６１，５１への負荷が全くなくなり、可動接点４２ａ，６２ａ，５２ａが固定接点３１ａ，３３ａ，３２ａに所定の圧力でそれぞれ接触する。
そして、前記第１，第２プランジャ８０，９０に対する押し下げ操作を解除すると、第１，第２復帰バネ７０，７１のバネ力で前記第１，第２プランジャ８０，９０が押し戻され、元に位置に復帰する。このため、前記操作体８４，９４が上昇し、操作面８４ａ，９４ａが操作舌片４３，５３および操作舌片６３，６４をそれぞれ押し戻し、可動接点４２ａ，６２ａ，５２ａが固定接点３１ａ，３３ａ，３２ａからそれぞれ開離する。
【００３８】
第２実施形態は、図２６ないし図３０に示すように、第３可動接点端子６０を組み込んでいない点を除き、前述の第１実施形態と同一の基本構造を有している。このため、他は前述の第１実施形態と同様であるので、同一部分には同一番号を附して説明を省略する。
なお、本実施形態によれば、第１，第２プランジャ８０，９０を操作するだけで、可動接点４２ａ，５２ａが固定接点３１ａ，３２ａにそれぞれ接触する押しボタンスイッチが得られる。
【００３９】
第３実施形態は、図３１ないし図３５に示すように、第１，第２可動接点端子４０，５０を組み込んでいない点を除き、前述の第１実施形態と同一の基本構造を有している。このため、他は前述の第１実施形態と同様であるので、同一部分には同一番号を附して説明を省略する。
なお、本実施形態によれば、第１，第２プランジャ８０，９０を同時に操作した場合にのみ、可動接点６２ａが固定接点３３ａに接触する押しボタンスイッチが得られる。
【００４０】
前述の操作工程を理解しやすくするため、前記押しボタンスイッチを観音開きのドアを有する冷凍冷蔵庫に適用し、前記観音開きのドアの開閉検知を行った場合についてまとめたタイムチャートを図３６に示す。
【００４１】
第４実施形態は、図３７ないし図４６に示すように、第１プランジャ８０のみを有する押しボタンスイッチである。
本実施形態に係る押しボタンスイッチは、図４３および図４４に示すように、大略、ベース１０と、共通固定接点端子３０と、第１可動接点端子４０と、第１復帰バネ７０と、第１プランジャ８０と、カバー１００と、で構成されている。基本構造は前述の第１実施形態とほぼ同様であるので、同一部分には同一番号を附して説明を省略する。
【００４２】
操作前は、図３７および図３８に示すように、第１プランジャ８０は復帰位置にあるので、操作体８４が第１可動接点端子４０の操作舌片４３に圧接しており、可動接点４２ａが固定接点３１ａから開離している。
【００４３】
そして、図３９および図４０に示すように、前記第１プランジャ８０を押し下げると、前記操作体８４が下降し、操作面８４ａか操作舌片４３の表面を摺動し、操作舌片４３に対する負荷が低減する。このため、可動接触片４１が弾性復帰し、可動接点４２ａが固定接点３１ａに接触する。
【００４４】
さらに、前記第１プランジャ８０を押し下げると、図４１および図４２に示すように、前記操作体８４が下降し、前記操作体８４からの負荷が全くなくなり、可動接点４２ａが固定接点３１ａに所定の圧力で接触する。
【００４５】
ついで、前記第１プランジャ８０に対する押し下げ操作を解除すると、第１復帰バネ７０のバネ力で前記第１プランジャ８０が押し戻され、元に位置に復帰する。このため、前記操作体８４が上昇し、操作面８４ａが操作舌片４３を押し戻し、可動接点４２ａが固定接点３１ａから開離する。
【００４６】
本実施形態によれば、共通部品を必要に応じて選択して組み合わせることにより、出力タイプが異なる押しボタンスイッチが得られる。このため、多種多様な商品を製造するための部品点数が実質的に少なくなり、部品の在庫管理が容易になるという利点がある。
【産業上の利用可能性】
【００４７】
本発明に係る押しボタンスイッチは、冷凍冷蔵庫に限らず、他の電気機器や建築物のドアに適用してもよいことは勿論である。
【符号の説明】
【００４８】
１０  ベース１０
１１，１２  仕切り壁
１１a,１２a  ガイド溝
１３  第１凹所
１４  第２凹所
１５  第３凹所
１６  支持突部
１７  位置決めリブ
１８  支持突部
２０  段部
２１ａ，２１ｂ，２１ｃ，２１ｄ  端子孔
２２  コネクタ部
２３  迫り出し部
３０  共通固定接点端子
３１  第１固定接点片
３１ａ  第１固定接点
３２  第２固定接点片
３２ａ  第２固定接点
３３  第３固定接点片
３３ａ  第１固定接点
３４  端子部
４０  第１可動接点端子
４１  可動接触片
４２  可動接点片
４２ａ  可動接点
４３  操作舌片
４４  端子部
５０  第２可動接点端子
５１  可動接触片
５２  可動接点片
５２ａ  可動接点
５３  操作舌片
５４  端子部
６０  第３可動接点端子
６１  可動接触片
６２  可動接点片
６２ａ  可動接点
６３，６４  操作舌片
６４  端子部
７０  第１復帰バネ
７１  第２復帰バネ
８０  第１プランジャ
８１  鍔部
８２  押圧部
８３  操作腕部
８４  操作体
８４ａ  操作面
８５  ガイド溝
８６  収納孔
９０  第２プランジャ
９１  鍔部
９２  押圧部
９３  操作腕部
９４  操作体
９４ａ  操作面
９５  ガイド溝
９６  収納孔
１００  カバー
１０１  面板
１０２，１０３  環状仕切り壁部
１０２ａ，１０３ａ  ガイド溝
１０４，１０５  操作孔
１０７  抜け止めリブ
１０８ａ  水抜き孔
１０８ｂ  水抜き孔
１１０  取付板
１１１  取付孔
【図１】
2016115551.tif 000003
【図２】
2016115551.tif 000004
【図３】
2016115551.tif 000005
【図４】
2016115551.tif 000006
【図５】
2016115551.tif 000007
【図６】
2016115551.tif 000008
【図７】
2016115551.tif 000009
【図８】
2016115551.tif 000010
【図９】
2016115551.tif 000011
【図１０】
2016115551.tif 000012
【図１１】
2016115551.tif 000013
【図１２】
2016115551.tif 000014
【図１３】
2016115551.tif 000015
【図１４】
2016115551.tif 000016
【図１５】
2016115551.tif 000017
【図１６】
2016115551.tif 000018
【図１７】
2016115551.tif 000019
【図１８】
2016115551.tif 000020
【図１９】
2016115551.tif 000021
【図２０】
2016115551.tif 000022
【図２１】
2016115551.tif 000023
【図２２】
2016115551.tif 000024
【図２３】
2016115551.tif 000025
【図２４】
2016115551.tif 000026
【図２５】
2016115551.tif 000027
【図２６】
2016115551.tif 000028
【図２７】
2016115551.tif 000029
【図２８】
2016115551.tif 000030
【図２９】
2016115551.tif 000031
【図３０】
2016115551.tif 000032
【図３１】
2016115551.tif 000033
【図３２】
2016115551.tif 000034
【図３３】
2016115551.tif 000035
【図３４】
2016115551.tif 000036
【図３５】
2016115551.tif 000037
【図３６】
2016115551.tif 000038
【図３７】
2016115551.tif 000039
【図３８】
2016115551.tif 000040
【図３９】
2016115551.tif 000041
【図４０】
2016115551.tif 000042
【図４１】
2016115551.tif 000043
【図４２】
2016115551.tif 000044
【図４３】
2016115551.tif 000045
【図４４】
2016115551.tif 000046
【図４５】
2016115551.tif 000047
【図４６】
2016115551.tif 000048